(57)【要約】【課題】コストを低減すると共に、電子装置のハウジングの体積を縮小できるような押しボタン機能を統合したポート保護蓋及びこれを用いた携帯式電子装置を提供すること。【解決手段】本発明に係るポートの保護蓋は、携帯式電子装置のポートを遮蔽して保護し、主体板部及びこの主体板部に重なって接合されるカバー部を備え、前記主体板部の前記カバー部から離間する表面には、前記ポートの内部に嵌入されるプラグ及び前記スイッチを起動するための起動部が間隔をあけて突設されている。【選択図】図１
2012029291.tif 000002
【特許請求の範囲】
【請求項１】
携帯式電子装置のポートを遮蔽して保護するためのポート保護蓋であって、
主体板部及びこの主体板部に重なって接合されるカバー部を備え、前記主体板部の前記カバー部から離間する表面には、前記ポートの内部に嵌入されるプラグ及びスイッチを起動するための起動部が間隔をあけて突設されていることを特徴とするポート保護蓋。
【請求項２】
前記起動部は、前記スイッチに対応して位置する起動用棒状体と、この起動用棒状体の周りに間隔をあけて突設されて、前記ポートの保護蓋が押圧された後にそれを弾性復帰させるための弾性力をもたらす複数の弾性アームと、を備えることを特徴とする請求項１に記載のポート保護蓋。
【請求項３】
各弾性アームは、前記起動用棒状体から離れるように傾斜して延伸し、且つその自由端が外側へ隆起する弧状を呈することを特徴とする請求項２に記載のポート保護蓋。
【請求項４】
前記主体板部には、ポート保護蓋が携帯式電子装置から離脱することを防止するための係止部がさらに設けられ、前記係止部及び前記プラグは、それぞれ前記起動部の両側に位置することを特徴とする請求項１から３の何れか一項に記載のポート保護蓋。
【請求項５】
前記主体板部及び前記カバー部は、異なる材料を用いて二色射出成形により一体に接合されることを特徴とする請求項１から４の何れか一項に記載のポート保護蓋。
【請求項６】
ハウジングと、前記ハウジング内に設けられるスイッチ及びポートと、前記ハウジングの側壁に装着されて前記ポートを遮蔽して保護するカバー部を有するポート保護蓋と、を備える携帯式電子装置であって、
前記スイッチは、前記ポートに近接して設けられ、前記ポート保護蓋は、前記カバー部に重なって接合されている主体板部をさらに有し、前記主体板部の前記カバー部から離間する表面には、前記ポートの内部に嵌入されるプラグと、前記スイッチに対向して位置し且つ前記スイッチを起動させる起動部と、が間隔をあけて突設されることを特徴とする携帯式電子装置。
【請求項７】
前記主体板部には、前記ハウジングに回転可能に装着される係止部がさらに設けられ、前記係止部及び前記プラグは、それぞれ前記起動部の両側に位置することを特徴とする請求項６に記載の携帯式電子装置。
【請求項８】
前記係止部は、前記主体板部に直交して延伸する支持棒状体及び前記支持棒状体の端部に設けられる係止端を備え、前記ハウジングの側壁には、貫通穴を有する取付壁が設けられ、前記係止端は、前記貫通穴を貫通して前記取付壁に止められることを特徴とする請求項７に記載の携帯式電子装置。
【請求項９】
前記主体板部の対向する両端には、それぞれ１つの係止用ブロック及び１つのフックが設けられ、前記係止用ブロック及び前記フックは、それぞれ前記ハウジングに離脱可能に係合されることを特徴とする請求項６から８の何れか一項に記載の携帯式電子装置。
【発明の詳細な説明】
【技術分野】
【０００１】
本発明は、ポート保護蓋に関し、特に携帯式電子装置に用いられ且つ押しボタン機能を有するポート保護蓋に関するものである。
【背景技術】
【０００２】
従来では、電子装置のポートの開口部に対応して保護蓋で塞ぐことで、外界の異物、水及び塵などが電子装置の内部に入ることを防止する。最近では、電子装置の機能が多様化するにつれて、そのハウジングの側面には異なる機能を実現するためのショートカットキーが多く設けられている。例えば、カメラ起動キー、パワーキー及びボリュームキーなどが挙げられる。
【０００３】
しかし、従来の電子装置において、その側面に設けられたショートカットキーとポートの保護蓋とは、別体として設計されるため、製造コストの上昇を招き、一定の取付空間を占めるので電子装置の体積を増大させ、電子装置全体の軽薄化及び小型化という発展を阻害する。
【発明の概要】
【発明が解決しようとする課題】
【０００４】
本発明は、上記の問題点を考慮してなされたものであり、コストを低減すると共に、電子装置のハウジングの体積を縮小できるような押しボタン機能を統合したポート保護蓋及びこれを用いた携帯式電子装置を提供することを目的とする。
【課題を解決するための手段】
【０００５】
上記の目的を達成するために、本発明に係るポートの保護蓋は、携帯式電子装置のポートを遮蔽して保護し、主体板部及びこの主体板部に重なって接合されるカバー部を備え、前記主体板部の前記カバー部から離間する表面には、前記ポートの内部に嵌入されるプラグ及び前記スイッチを起動するための起動部が間隔をあけて突設されている。
【０００６】
また、上記の目的を達成するために、本発明に係る携帯式電子装置は、ハウジングと、前記ハウジング内に設けられるスイッチ及びポートと、前記ハウジングの側壁に装着されて前記ポートを遮蔽して保護するカバー部を有するポート保護蓋と、を備える。前記スイッチは、前記ポートに近接して設けられる。前記ポート保護蓋は、前記カバー部に重なって接合されている主体板部をさらに有する。前記主体板部の前記カバー部から離間する表面には、前記ポートの内部に嵌入されるプラグと、前記スイッチに対向して位置し且つ前記スイッチを起動させる起動部と、が間隔をあけて突設される。
【発明の効果】
【０００７】
従来の技術と比較すると、本発明は、ポート保護蓋の内面に起動部を設けることにより、ポートに隣接して設けられたスイッチを起動させる。これにより、本発明のポート保護蓋は、前記ポートを保護できると共に押しボタンの機能も有するので、製造コストが低減され、異なる部品を一体に統合させることで、携帯式電子装置のハウジングの体積を縮小して、携帯式電子装置の小型化を促進できる。
【図面の簡単な説明】
【０００８】
【図１】本発明に係る携帯式電子装置の部分的な分解図である。
【図２】本発明のポート保護蓋の斜視図である。
【図３】図２に示したポート保護蓋が携帯式電子装置のハウジングに取り付けられた後、ハウジングの内側から見たポート保護蓋部分の斜視図である。
【図４】図１に示した携帯式電子装置の組立図である。
【図５】図１に示した携帯式電子装置のポート保護蓋部分の俯瞰図である。
【図６】図４に示した携帯式電子装置のポート保護蓋が開放された状態での斜視図である。
【発明を実施するための形態】
【０００９】
本発明の実施形態に係るポート保護蓋は、携帯電話及び個人用携帯情報端末（ＰＤＡ）などの携帯式電子装置に用いられて、携帯式電子装置の側面に設けられる電源接続ポート、マイク接続ポート或いはＵＳＢ接続ポートなどのポートを遮蔽してそれを保護する。
【００１０】
図１に示したように、本発明の実施形態に係る携帯式電子装置１００は、ポート保護蓋１０、ハウジング２０、前記ハウジング２０の内部に装着される回路基板３０、スイッチ４０及びポート５０を備える。前記ポート保護蓋１０は、前記ポート５０の開口部を塞ぐように前記ハウジング２０に装着される。前記スイッチ４０及び前記ポート５０は、互いに隣接して位置し、且つ全て前記回路基板３０に電気的に接続されている。
【００１１】
前記スイッチ４０は、カメラスイッチ或いは電源スイッチなどである。また、前記ポート５０は、電源接続ポート、マイク接続ポート或いはＵＳＢ接続ポートなどであることができる。本発明の実施形態では、それぞれカメラスイッチ及びＵＳＢ接続ポートを例として説明する。
【００１２】
図２に示したように、前記ポート保護蓋１０は、主体板部１１及びこの主体板部１１に重なって接合されるカバー部１３を備える。前記主体板部１１及び前記カバー部１３は、異なる材料を用いて二色射出成形（Ｄｏｕｂｌｅ−Ｃｏｌｏｒｅｄ  Ｉｎｊｅｃｔｉｏｎ  Ｍｏｌｄｉｎｇ）により一体に形成される。前記主体板部１１は、熱可塑性ポリウレタン（Ｔｈｅｒｍｏｐｌａｓｔｉｃ  Ｐｏｌｙｕｒｅｔｈａｎｅｓ，ＴＰＵ）などの弾性材料からなる。前記カバー部１３は、ポリカーボネート（ＰＣ）などの硬質材料からなる。
【００１３】
前記主体板部１１の前記カバー部１３から離間する表面（即ち、前記主体板部１１の内面）には、プラグ１１１、起動部１１３及び係止部１１５が突設されている。前記プラグ１１１及び前記係止部１１５は、それぞれ前記起動部１１３の両側に位置する。前記プラグ１１１の形状及びサイズは、前記ポート５０の形状及びサイズにそれぞれ一致するので、前記プラグ１１１を前記ポート５０内に嵌入することにより、前記ポート５０を塵及び水などにより汚されないように保護する。
【００１４】
前記起動部１１３は、起動用棒状体１１３１及び前記起動用棒状体１１３１の基端部の周りに間隔をあけて突設される複数の弾性アーム１１３３を備える。前記起動用棒状体１１３１は、円柱体であり、前記主体板部１１の内面に直交して延伸する。前記ポート保護蓋１０が前記ハウジング２０に係合された後、前記起動用棒状体１１３１は、前記スイッチ４０に対向して設置される。このとき、前記カバー部１３から前記起動用棒状体１１３１に対応する箇所を押圧すると、前記起動用棒状体１１３１は、前記スイッチ４０を推進してそれを起動させる。各弾性アーム１１３３は、前記主体板部１１の内面から突出し、且つ前記起動用棒状体１１３１から離れるように傾斜して延在する。さらに、各弾性アーム１１３３の自由端は、外側へ隆起する弧状を呈する。前記弾性アーム１１３３は、前記ハウジング２０に弾性的に当止されて、前記起動部１１３に元の位置に復帰するための弾性力をもたらす。
【００１５】
前記係止部１１５は、支持棒状体１１５１及び係止端１１５３を備える。前記支持棒状体１１５１は、円柱体であり、前記主体板部１１の内面に直交して延伸する。前記係止端１１５３は、前記支持棒状体１１５１の端部に設けられ、且つその直径が前記支持棒状体１１５１の直径より大きい。前記係止端１１５３は、前記ハウジング２０に係止されて、前記ポート保護蓋１０が前記ハウジング２０から離脱することを防止する。
【００１６】
前記主体板部１１の対向する両端には、それぞれ１つの係止用ブロック１１７及び１つのフック１１９が設けられている。前記係止用ブロック１１７は、前記係止部１１５の近傍に位置し、且つ前記係止部１１５の延在方向に直交して延伸する。前記フック１１９は、前記プラグ１１１に隣接して設けられ、且つ前記プラグ１１１に平行に延伸する。前記係止用ブロック１１７及び前記フック１１９がそれぞれ前記ハウジング２０に離脱可能に係合されることによって、前記ポート保護蓋１０の前記ハウジング２０に対する着脱が実現される。
【００１７】
前記カバー部１３は、矩形の平板体であり、平滑に連接する開き部１３１及び押圧部１３３から構成される。前記開き部１３１及び前記押圧部１３３は、それぞれ前記プラグ１１１及び前記起動部１１３に対応している。本実施形態では、前記開き部１３１及び前記押圧部１３３の外面には、カメラ及びＵＳＢ接続ポートを示している模様がそれぞれ形成されている（図１を参照）。
【００１８】
図１乃至図３に示したように、前記ハウジング２０は、背面２１及びこの背面２１の周縁から垂直に延伸してなる側壁２３を有する。前記側壁２３には、前記ポート保護蓋１０を装着するための切欠き２３１が設けられている。前記切欠き２３１の形状及びサイズは、前記ポート保護蓋１０のカバー部１３の形状及びサイズにそれぞれ一致する。前記切欠き２３１内の前記背面２１の周縁の一部は垂直に突出して、前記側壁２３に平行に延伸する取付壁２１１を形成する。前記側壁２３と前記取付壁２１１との間には、前記係止用ブロック１１７を収納するためのギャップ２３３が形成されている。前記取付壁２１１には、前記起動用棒状体１１３１及び前記係止部１１５をそれぞれ貫通させるための第一貫通穴２１１１及び第二貫通穴２１１３が設けられている。前記ポート保護蓋１０を前記切欠き２３１に対応して前記ハウジング２０に係合させた後、前記起動用棒状体１１３１は、前記第一貫通穴２１１１を貫通して前記スイッチ４０に当接し、複数の前記弾性アーム１１３３は、前記取付壁２１１に弾性的に当止される（図５を参照）。一方、前記係止部１１５の支持棒状体１１５１を回転するように前記第二貫通穴２１１３に貫通させた後、前記係止端１１５３は、前記第二貫通穴２１１３に止められて、前記ポート保護蓋１０が前記取付壁２１１から離脱することを防止する。これにより、前記ポート保護蓋１０は、外された後に前記取付壁２１１に係止されて前記ハウジング２０から分離できない（図６を参照）。
【００１９】
図１乃至図４に示したように、前記携帯式電子装置１００を組み立てる場合、まず、前記スイッチ４０及び前記ポート５０を互いに隣接するように前記回路基板３０に装着する。続いて、前記回路基板３０を前記ハウジング２０内に装着する。このとき、前記スイッチ４０は、前記取付壁２１１の第一貫通穴２１１１に対応して位置し、前記ポート５０は、前記取付壁２１１の隣の開口に対応して位置する。次に、前記ポート保護蓋１０の係止部１１５の係止端１１５３を前記第二貫通穴２１１３に貫通させて、それを前記取付壁２１１に係止させる。次に、前記ポート５０に向けて前記ポート保護蓋１０を押圧すると、前記プラグ１１１が前記ポート５０内に嵌入され、前記起動用棒状体１１３１が前記第一貫通穴２１１１を貫通して前記スイッチ４０に当接する。これと同時に、前記係止用ブロック１１７は、前記ギャップ２３３内に嵌入され、前記フック１１９は、前記切欠き２３１における前記ギャップ２３３の反対側で前記側壁２３に係止される。
【００２０】
図４乃至図６に示したように、前記携帯式電子装置１００を使用中に、前記スイッチ４０を起動させる必要があれば、前記ポート保護蓋１０の押圧部１３３を押圧すると、前記起動用棒状体１１３１は連動して前記スイッチ４０に向かって移動することにより、前記スイッチ４０が起動される。この過程で、複数の前記弾性アーム１１３３は、前記取付壁２１１に当止されて弾性力を蓄積する。前記押圧部１３３から外力を除去すると、前記ポート保護蓋１０は、複数の前記弾性アーム１１３３の弾性力によって元の位置に復帰される。
【００２１】
前記ポート５０を使用しようとする場合、前記開き部１３１により前記ポート保護蓋１０を外す。即ち、前記ポート保護蓋１０を前記ポート５０から離れるように引っ張って、前記プラグ１１１を前記ポート５０の内部から完全に離脱させる。次に、前記係止部１１５の支持棒状体１１５１を回転軸として時計方向或いは反時計方向に沿って、前記ポート保護蓋１０を回転して前記ポート５０を完全に露出させると、前記ポート５０を操作できる。
【００２２】
従来の技術と比較すると、本発明は、ポート保護蓋１０の内面に起動部１１３を設けることにより、前記ポート５０に隣接して設けられた前記スイッチ４０を起動させる。これにより、本発明のポート保護蓋１０は、前記ポート５０を保護できると共に押しボタンの機能も有するので、製造コストが低減され、異なる部品を一体に統合させることで、携帯式電子装置のハウジングの体積を縮小して、前記携帯式電子装置１００の小型化を促進できる。
【００２３】
以上、本発明の好適な実施形態について詳細に説明したが、本発明は前記実施形態に限定されるものではなく、本発明の範囲内で種々の変形又は修正が可能であり、該変形又は修正もまた、本発明の特許請求の範囲内に含まれるものであることは言うまでもない。
【符号の説明】
【００２４】
１０                  ポート保護蓋
１１                  主体板部
１３                  カバー部
２０                  ハウジング
２１                  背面
２３                  側壁
３０                  回路基板
４０                  スイッチ
５０                  ポート
１００                携帯式電子装置
１１１                プラグ
１１３                起動部
１１５                係止部
１１７                係止用ブロック
１１９                フック
１３１                開き部
１３３                押圧部
２１１                取付壁
２３１                切欠き
２３３                ギャップ
１１３１              起動用棒状体
１１３３              弾性アーム
１１５１              支持棒状体
１１５３              係止端
２１１１              第一貫通穴
２１１３              第二貫通穴
【図１】
2012029291.tif 000003
【図２】
2012029291.tif 000004
【図３】
2012029291.tif 000005
【図４】
2012029291.tif 000006
【図５】
2012029291.tif 000007
【図６】
2012029291.tif 000008